(57)【要約】【目的】  Ｗｅｂ画面の視認性や操作性を損ねることなく、Ｗｅｂ画面とＴＶ画面等とを同時に表示することができる映像表示装置を提供する。【構成】  ディジタル放送受信装置３０のＣＰＵは、カーソルが載せられているクリッカブルなオブジェクトの表示位置と縮小ＴＶ画面の表示予定位置（一つの仮選択位置）と縮小ＴＶ画面の大きさ（縮小率情報）とに基づいて、前記カーソルが載せられているクリッカブルなオブジェクトと前記縮小ＴＶ画面とが重なるかどうかを判定する。重なるとの判定結果を得た場合、ＣＰＵは、他の表示予定位置を選択し、同様の処理を実行する。重ならないとの判定結果を得たときには、その表示予定位置（例えば、右上位置：図３（ａ）参照）に縮小ＴＶ画面を表示させる。【選択図】        図３
2006259161.tif 000002
【特許請求の範囲】
【請求項１】
ネットワークを介して得たデータコンテンツを解釈して閲覧画像を生成する手段と、前記閲覧画像上のカーソルが載せられているクリッカブルなオブジェクトの位置を判断する位置判断手段と、放送受信又は再生によって得た映像を縮小することにより子画面映像を生成し、前記閲覧画像上に前記子画面映像を重ねた重畳映像を生成する重畳手段と、前記カーソルが載せられているクリッカブルなオブジェクトの表示位置と前記子画面映像の表示予定位置と前記子画面映像の大きさとに基づいて、前記子画面映像が前記カーソルが載せられているクリッカブルなオブジェクトに重なるかどうかを判定し、前記カーソルが載せられているクリッカブルなオブジェクトに前記子画面映像が極力重ならないように、前記子画面映像の表示位置を決定して前記重畳手段に前記子画面映像の表示位置を指令する手段と、を備えたことを特徴とする映像表示装置。
【請求項２】
請求項１に記載の映像表示装置において、前記子画面映像は、前記閲覧画像上の操作メニュー表示領域を避けて表示されるように構成されたことを特徴とする映像表示装置。
【請求項３】
請求項１又は請求項２に記載の映像表示装置において、前記カーソルはリモートコントローラ又は操作パネルのボタンの操作によって他のクリッカブルなオブジェクト上に移動することを特徴とする映像表示装置。
【請求項４】
請求項１乃至請求項３のいずれかに記載の映像表示装置において、前記カーソルが他のクリッカブルなオブジェクト上に移動された場合に、前記子画面映像との重なりを再判定し、重なると判定したときには、前記子画面映像が前記カーソルが載せられているクリッカブルなオブジェクトに極力重ならないように、前記子画面映像の表示位置を変更するように構成されたことを特徴とする映像表示装置。
【請求項５】
請求項１乃至請求項４のいずれかに記載の映像表示装置において、前記子画面映像の表示予定位置として予め複数の箇所が設定されており、前記複数の箇所から他の表示予定位置を順次選択していくように構成されたことを特徴とする映像表示装置。
【請求項６】
請求項１乃至請求項５のいずれかに記載の映像表示装置において、前記子画面映像の表示予定位置として基準位置が定められており、前記基準位置を１画素又は複数画素ずつずらしていくことで他の表示予定位置を順次生成していように構成されたことを特徴とする映像表示装置。
【請求項７】
請求項１乃至請求項６のいずれかに記載の映像表示装置において、前記カーソルが載せられているクリッカブルなオブジェクトに前記子画面映像が極力重ならないようにするために、前記子画面映像の大きさを決定する縮小率を再設定するように構成されたことを特徴とする映像表示装置。
【発明の詳細な説明】
【技術分野】
【０００１】
この発明は、例えば、インターネットから得たＨＴＭＬファイルを解釈して閲覧画面を生成することができる映像表示装置に関する。
【背景技術】
【０００２】
ＨＴＭＬ（Ｈｙｐｅｒ  Ｔｅｘｔ  Ｍａｒｋｕｐ  Ｌａｎｇｕａｇｅ）で記述されたインターネット上に存在するファイルを解釈して閲覧画面を表示することができるブラウザ機能を有するＴＶ受信装置が知られている。このようなＴＶ受信装置は、本来のテレビとしての映像・音声等の提示機能以外に、プロバイダ事業者と契約した上で、電話回線やイーサネット（登録商標）を経由して、インターネットと接続することで、ネット上に存在する様々なＷｅｂサイト（ホームページ）を閲覧することが可能である（特許文献１参照）。
【特許文献１】特開平１０−１２６７０６号公報
【発明の開示】
【発明が解決しようとする課題】
【０００３】
このようなＴＶ受信装置は、パーソナルコンピュータと同様に、インターネット上のＨＴＭＬファイルを閲覧できるブラウザを搭載している。ただし、かかるＴＶ用ブラウザにおいては、パーソナルコンピュータに搭載されるブラウザのようにキーボードやマウスで閲覧操作を行うのではなく、付属のリモコン送信機の操作ボタン（上ボタン、下ボタン、左ボタン、右ボタン）を利用して、閲覧画像上のクリッカブルなオブジェクトに載せられるカーソル（ハイライト表示）を移動するようにしている。ここで、クリッカブルなオブジェクトは、他のＷｅｂサイト（ホームページ）にジャンプするためのリンク（ＵＲＬ）、画像ファイルのダウンロードを要求するためのリンク、同じページ内の別の箇所にジャンプするためのリンクが記述されている（埋め込まれている）ものである。そして、ＴＶ用ブラウザにおいては、所望のオブジェクト上にカーソルを載せた状態でリモコン送信機の決定ボタンを押すことにより、そのオブジェクトが示すリンク先に遷移することができるようにしている。
【０００４】
しかしながら、ＴＶ用ブラウザを搭載する従来のＴＶ受信装置においては、画面全体に渡ってブラウザ（閲覧）画面が表示され、放送中のテレビを同時に視聴することができないものが一般的である。また、特開平１０−１２６７０６号公報に開示されたインターネットテレビジョンのごとく、いわゆる画面二分割機能を利用し、一方の分割画面をＷｅｂ画面とし、他方の画面をＴＶ画面とするものがあるが、これではＷｅｂ画面は元の半分の大きさとなり、視認性や操作性が損なわれてしまう。また、ＰＩＰ（Ｐｉｃｔｕｒｅ  Ｉｎ  Ｐｉｃｔｕｒｅ）機能を利用し、子画面をＴＶ画面とすることが考えられるが、この子画面によってＷｅｂ画面の一部が隠れてしまい、視認性や操作性が損なわれてしまう。
【０００５】
この発明は、上記の事情に鑑み、Ｗｅｂ画面の視認性や操作性を損ねることなく、Ｗｅｂ画面とＴＶ画面等とを同時に表示することができる映像表示装置を提供することを目的とする。
【課題を解決するための手段】
【０００６】
この発明の映像表示装置は、上記の課題を解決するために、ネットワークを介して得たデータコンテンツを解釈して閲覧画像を生成する手段と、前記閲覧画像上のカーソルが載せられているクリッカブルなオブジェクトの位置を判断する位置判断手段と、放送受信又は再生によって得た映像を縮小することにより子画面映像を生成し、前記閲覧画像上に前記子画面映像を重ねた重畳映像を生成する重畳手段と、前記カーソルが載せられているクリッカブルなオブジェクトの表示位置と前記子画面映像の表示予定位置と前記子画面映像の大きさとに基づいて、前記子画面映像が前記カーソルが載せられているクリッカブルなオブジェクトに重なるかどうかを判定し、前記カーソルが載せられているクリッカブルなオブジェクトに前記子画面映像が極力重ならないように、前記子画面映像の表示位置を決定して前記重畳手段に前記子画面映像の表示位置を指令する手段と、を備えたことを特徴とする。
【０００７】
上記の構成であれば、前記カーソルが載せられているクリッカブルなオブジェクトに前記子画面映像が極力重ならないように前記子画面映像の表示位置が決定された上で当該子画面映像が前記閲覧画像上に重畳されるので、前記閲覧画像の視認性や操作性が良好になる。
【０００８】
上記構成の映像表示装置において、前記子画面映像は、前記閲覧画像上の操作メニュー表示領域を避けて表示されるのがよい。
【０００９】
これら構成の映像表示装置において、前記カーソルはリモートコントローラ又は操作パネルのボタンの操作によって他のクリッカブルなオブジェクト上に移動するようになっていてもよい。また、これら構成の映像表示装置において、前記カーソルが他のクリッカブルなオブジェクト上に移動された場合に、前記子画面映像との重なりを再判定し、重なると判定したときには、前記子画面映像が前記カーソルが載せられているクリッカブルなオブジェクトに極力重ならないように、前記子画面映像の表示位置を変更するように構成されているのがよい。
【００１０】
これら構成の映像表示装置において、前記子画面映像の表示予定位置として予め複数の箇所が設定されており、前記複数の箇所から他の表示予定位置を順次選択していくように構成されていてもよい。或いは、これら構成の映像表示装置において、前記子画面映像の表示予定位置として基準位置が定められており、前記基準位置を１画素又は複数画素ずつずらしていくことで他の表示予定位置を順次生成していように構成されていてもよい。
【００１１】
また、これら構成の映像表示装置において、前記カーソルが載せられているクリッカブルなオブジェクトに前記子画面映像が極力重ならないようにするために、前記子画面映像の大きさを決定する縮小率を再設定するように構成されていてもよい。
【発明の効果】
【００１２】
この発明によれば、Ｗｅｂ画面の視認性や操作性を損ねることなく、Ｗｅｂ画面とＴＶ画面等とを同時に表示することができるという効果を奏する。
【発明を実施するための最良の形態】
【００１３】
以下、この発明の実施形態のディジタル放送受信装置を図１乃至図３に基づいて説明する。
【００１４】
ディジタル放送受信装置３０におけるチューナ１は、映像・音声データを含む高周波ディジタル変調信号のうちから特定周波数の信号を取り出す。すなわち、ディジタル放送の複数のトランスポンダのなかから一つを選択する処理を行う。また、チューナ１は、復調回路、逆インタリーブ回路、誤り訂正回路などを備えることにより、選択したディジタル変調信号を復調してトランスポート・ストリームを出力する。
【００１５】
ＰＩＤ（パケットＩＤ）フィルタ２は、チューナ１から受け取ったトランスポートストリームを、例えばＭＰＥＧ２（Ｍｏｖｉｎｇ  Ｐｉｃｔｕｒｅ  Ｅｘｐｅｒｔｓ  Ｇｒｏｕｐ２）のビデオストリームやオーディオストリームなどのストリームと、セクションデータとに分離する。
【００１６】
ビデオデコーダ３は、ＰＩＤフィルタ２から出力された符号化信号を復号して量子化係数や動きベクトルを求め、逆ＤＣＴ変換や動きベクトルに基づく動き補償制御などを行って映像データを出力する。
【００１７】
スケーラ４は前記映像データを入力し、ＣＰＵ２０から与えられた縮小率情報に基づいて画素間引き処理等を行って縮小ＴＶ画面を生成する。また、スケーラ４は、ＣＰＵ２０から与えられた表示位置座標情報に基づいて全体画面内での前記縮小ＴＶ画面の位置を設定する。
【００１８】
オーディオデコーダ５は、ＰＩＤフィルタ２から出力された符号化信号を復号し更にＤ／Ａ変換して音声信号を生成し、この音声信号を音声出力部（スピーカ等）６に供給する。
【００１９】
セクションフィルタ９は、前記セクションデータをＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）とデータカルーセルとに分離する。
【００２０】
ＰＳＩ／ＳＩ処理部１０はＰＳＩ／ＳＩを入力し、ＥＰＧ（Ｅｌｅｃｔｒｏｎｉｃ  Ｐｒｏｇｒａｍ  Ｇｕｉｄｅ）等に利用できるようにＰＳＩ／ＳＩに対して加工処理を行う。ＳＩ格納メモリ１１は、前記ＳＩの加工情報を格納する。データカルーセル受信処理部１２は、セクションフィルタ９で分離されたデータカルーセルを処理してデータ放送コンテンツを取得し、図示しないコンテンツバッファに格納する。
【００２１】
ＢＭＬブラウザ１３は、データ放送の表示において起動される。番組連動型のデータ放送におけるデータ表示は、例えば、図示しないリモコン送信機に設けられたデータ放送表示キー（ｄキー）が押下されたことを検出したとき行われる。データ放送においては、最初にエントリーコンポーネントに入れられているスタートアップモジュール（moduleＩＤ＝０）の取得が試みられ、得られたスタートアップ文書に基づいて画面作成が行われる。そして、ユーザがスタートアップ画面上の各種ボタン（「天気予報」「ニュース」等）を操作することで下位階層の表示が実行される。また、ＢＭＬブラウザ１３は表示すべき文書（データ）をコンテンツバッファに要求する。コンテンツバッファは要求されたデータが存在すればそのデータを読み出してＢＭＬブラウザ１３に渡す。要求されたデータが無ければデータカルーセル受信処理部１２がトランスポートストリームから取り出す。
【００２２】
ＨＴＭＬブラウザ１４は、インターネット上のＨＴＭＬファイルを閲覧できるＴＶ用ブラウザである。ＨＴＭＬブラウザ１４は、例えば、図示しないリモコン送信機に設けられた「インターネット」と表記されたキーが押下されたときに起動される。インターネットは、通信インターフェイス１５及び電話回線やイーサネット（登録商標）を経由してサーバに接続することで、サーバに存在する様々なＷｅｂサイト（ホームページ）を閲覧することができる機能である。ＨＴＭＬブラウザ１４（ＣＰＵ２０）は、前記リモコン送信機の方向ボタン（上方向ボタン、下方向ボタン、左方向ボタン、方向右ボタン）の操作を検出すると、閲覧画像上のクリッカブルなオブジェクトに載せられているカーソル（ハイライト表示）を他のクリッカブルなオブジェクト上に移動させる。クリッカブルなオブジェクトは、他のＷｅｂサイト（ホームページ）にジャンプするためのリンク（ＵＲＬ）、画像ファイルのダウンロードを要求するためのリンク、同じページ内の別の箇所にジャンプするためのリンクが記述されている（埋め込まれている）ものである。そして、ＨＴＭＬブラウザ１４（ＣＰＵ２０）は、前記リモコン送信機の決定ボタンの押下を検出すると、前記カーソルが載せられているオブジェクトが示しているリンク先に遷移するための情報（ＵＲＬ）をネットワーク上に送出し、新たなＨＴＭＬファイルを得て、それを解釈して画面表示する。
【００２３】
ここで、データ放送で送信されてくるＢＭＬ文書においては、例えば、Ｌ字型画面構成でデータ放送画面の位置と縮小ＴＶ画面の位置とを規定しているため、縮小ＴＶ画面にてデータ放送画面上のオブジェクトが隠れてしまうといったことはない。一方、インターネットで取得したＨＴＭＬファイルに基づいたＷｅｂ画面（閲覧画面）上に単に縮小ＴＶ画面（子画面映像）を表示すると、従来項で述べたごとく、カーソルが載せられているクリッカブルなオブジェクトが隠れてしまうことがある。
【００２４】
ＢＭＬブラウザ１３が作成したデータ放送閲覧画像（データ）、又はＨＴＭＬブラウザ１４が作成したＷｅｂ画面（データ）は、フレームメモリ７に書き込まれる。
【００２５】
映像合成出力部（オンスクリーンディスプレイ機能を備える）８は、前記スケーラ４からの縮小ＴＶ画面（データ）と、フレームメモリ７から読み出したＷｅｂ画面（データ）とを合成し、この合成映像データを図示しないディスプレイに出力する。
【００２６】
ＣＰＵ２０は、スケーラ４に対して受信映像の縮小率情報を与えることとしており、ＣＰＵ２０自体が縮小率情報を把握している。また、ＣＰＵ２０は、ＨＴＭＬブラウザ１４から、前記カーソルが載せられるクリッカブルなオブジェクトの位置情報（画面上の座標情報）や操作メニュー表示領域の位置情報を取得する。そして、現時点でカーソルが載せられているクリッカブルなオブジェクトの位置情報も取得する。また、ＣＰＵ２０は、前記縮小ＴＶ画面の表示予定位置として、前記操作メニュー表示領域を除く領域内の左上位置と右上位置と左下位置と右下位置の４つの位置情報を保持しており（図２の点線枠参照）、前記４つの位置から一つの位置を仮選択する。前記４つの予定位置の優先順位を定めておいてもよい。
【００２７】
ＣＰＵ２０は、カーソルが載せられているクリッカブルなオブジェクトの表示位置と前記縮小ＴＶ画面の表示予定位置（一つの仮選択位置）と前記縮小ＴＶ画面の大きさ（縮小率情報）とに基づいて、前記カーソルが載せられているクリッカブルなオブジェクトに前記縮小ＴＶ画面が重なるかどうかを判定する。例えば、これら３つの情報を、前記操作メニュー表示領域を除く領域内の画素座標情報に換算して、前記判定を行えばよい。ここで、図２に示すように、選択した表示予定位置がＷｅｂ画面（記操作メニュー表示領域を除く）の右上位置であるとする。また、「×△地震速報」と表記されたクリッカブルなオブジェクト上にカーソルが載せられているとする。このような図２に示す表示状態の場合、ＣＰＵ２０は、重なり有りとの判定結果を得ることになる。重なり有りとの判定結果を得た場合、ＣＰＵ２０は他の表示予定位置を選択し、同様の処理を実行する。これら処理で重なり無しとの判定結果を得たときには、その表示予定位置に前記縮小ＴＶ画面が表示されるように、表示位置座標情報を生成し、スケーラ４に与える。また、全ての表示予定位置で重なり有りとの判定結果を得たときには、例えば、重なる画素の数が最も少なかった表示位置を選択する方法、或いは、前記縮小ＴＶ画面を更に小さくして判定処理を繰り返す方法などがある。これら両方法を組み合わせてもよい。
【００２８】
図３（ａ）は、「×△地震速報」と表記されたクリッカブルなオブジェクト上にカーソルが載せられており、縮小ＴＶ画面が右下位置とされた状態を示している。この状態で前記カーソルが他のクリッカブルなオブジェクト上に移動すると、ＣＰＵ２０は、再び前記判定処理を実行する。図３（ｂ）は、前記再度の判定処理によって縮小ＴＶ画面が右上位置に移動された状態を示している。
【００２９】
なお、以上説明した例では、前記４つの予定位置のいずれかに縮小ＴＶ画面が表示される構成としたが、更に多くの予定位置を設けてもよい。例えば、前記縮小ＴＶ画面の表示予定位置として基準位置を定めておき、前記基準位置に対して映像中心を１画素又は複数画素ずつずらしていくことで他の表示予定位置を順次生成していようにしてもよい。また、子画面映像として縮小ＴＶ画面を例示したが、これに限るものではない。例えば、ＤＶＤプレーヤなどで再生された映像を子画面映像化し、この子画面映像を閲覧画面上に重畳してもよいる。また、ディジタル放送受信装置を例示したが、アナログＴＶ受信機としてもよい。また、上記の例では、枠形状のカーソルを示したが、これに限るものではなく、他の形態のカーソルを用いることができる。
【図面の簡単な説明】
【００３０】
【図１】この発明の実施形態のディジタル放送受信装置を示すブロック図である。
【図２】ＴＶ縮小画面の表示予定位置を右上位置と仮定したときのＷｅｂ画面例を示した説明図である。
【図３】同図（ａ）及び（ｂ）は、カーソルが載せられているオブジェクトを避けるようにＴＶ縮小画面の表示位置を決定したＷｅｂ画面例を示した説明図である。
【符号の説明】
【００３１】
１    チューナ
２    ＰＩＤフィルタ
３    ビデオデコーダ
４    スケーラ
８    映像合成出力部
１３  ＢＭＬブラウザ
１４  ＨＴＭＬブラウザ
２０  ＣＰＵ
【図１】
2006259161.tif 000003
【図２】
2006259161.tif 000004
【図３】
2006259161.tif 000005